(57)【要約】【課題】従来の木管楽器用消音器は、消音器内部で鳴っている大音量の音が外部に漏れ出てしまう構造であるため消音率が十分では無い。また、消音器内部の音響空間を安易に設定しているので、音程や発音が不安定になってしまい、自然な吹奏感覚が得られない。しかも、演奏者の呼気に含まれる水分対策も不十分である。【解決手段】楽器の全ての音孔を内包する開閉自在でプラスチック等で作られた硬い筐体を有し、その筐体内面に吸湿および吸水性に優れる繊維等の吸音層を配する構造で、楽器を筐体内部空間の略中央に固定可能な機構を持ち、筐体の外側から演奏者が右手と左手を入れて直接楽器のキイを操作できる伸縮自在で密閉可能な入手口を備えることを手段とする。【選択図】図３
2006162715.tif 000002
【特許請求の範囲】
【請求項１】
リードを使って音を出す木管楽器用の消音器において、楽器の全ての音孔を内包する開閉自在でプラスチック等で作られた硬い筐体を有し、その筐体内面に吸湿および吸水性に優れる繊維等の吸音層を配する構造で、楽器を筐体内部空間の略中央に固定可能な機構を持ち、筐体の外側から演奏者が右手と左手を入れて直接楽器のキイを操作できる伸縮自在で密閉可能な入手口を備えることを特徴とする木管楽器用消音器。
【請求項２】
請求項１に記載の木管楽器用消音器において、消音器内部の音をマイクでピックアップし、演奏者に返還出力する電子モジュールを付加したことを特徴とする木管楽器用消音器。
【発明の詳細な説明】
【技術分野】
【０００１】
本発明は、木管楽器用消音器に関するものである。
【背景技術】
【０００２】
同じ管楽器でも、音の出口がベル部のみの金管楽器においては、ベル内部に密閉型消音器を装着することで消音が可能である。一方、木管楽器は、管体にたくさんの音孔を持っており、それら全ての音孔から音が出てしまうので、金管楽器同様にベル内部に密閉型消音器を装着しても、木管楽器の消音は不可能である。
【０００３】
歴史的に見れば、木管楽器の管体内部に柔らかい布や紙などを挿入して弱音効果を得る方法もあったが、消音率が十分で無く、鳴りむらが発生したり、息苦しいなどの問題を抱えている。また、消音器、弱音器、ミュートなどの呼び方については、厳密に区別されるものではない。
【０００４】
現在見られるサクソフォン用消音バッグを従来例１で示す。図５は従来例１を斜め上方向から見た説明図である。この方法は、内部の音を透過させて音の減衰を図る方法と考えられるが、消音効果が十分で無く、しかも低音域の音程が悪く発音自体難しいという重大な欠点がある。実際には、音を透過させて音の減衰を図る以前に、消音器各部に多数存在する隙間から消音されていない音が大音量で漏れ出てしまっており消音効果が十分では無い。低音域の音程が悪く発音自体難しいという現象は、安易に設定された消音器内部空間、バッグ内で楽器の位置を固定できない構造、隙間が多く存在し密閉が悪い構造に依る物で、楽器本来の自然な定在波に悪影響を及ぼす別の音響モードが発生しやすいため、音程や発音が悪くなるのである。
【０００５】
従来例２の図６で示す通り、円筒状の発泡スチロールをゴム製遮音シートで巻いた筒体内部に楽器を入れる形態も見られるが、各部に隙間が多数発生する構造であるため、その隙間から、大音量の音が漏れ出すという、重大な欠点がある。しかも、装置が巨大で、重量が重く、何より通常の姿勢で楽器を演奏することもできない。
【特許文献１】特開平１０−１１３２０９号公報
【特許文献１】特開平０６−２１４５５９号公報
【発明の開示】
【発明が解決しようとする課題】
【０００６】
従来の木管楽器用消音器は、消音器内部で鳴っている大音量の音が外部に漏れ出てしまう構造であるため消音率が十分では無い。また、消音器内部の音響空間を安易に設定し、且つ、消音器内部の音響空間内の適正な位置に楽器を固定できない構造であるので、音程や発音が不安定になってしまい、自然な吹奏感覚が得られない。しかも、演奏者の呼気に含まれる水分対策も不十分である。従って、本発明が解決しようとする課題は、消音性能向上、自然な吹奏感覚の改善、十分な水分対策を施された新しい木管楽器用消音器の提供である。
【課題を解決するための手段】
【０００７】
本発明は、リードを使って音を出す木管楽器用の消音器において、普段使っている楽器やマウスピース等をそのまま使用して、自然な吹奏感覚のままで、従来品に比べて格段に高い消音効果を得るという課題を解決するために、楽器の全ての音孔を内包する開閉自在でプラスチック等で作られた硬い筐体を有し、その筐体内面に吸湿および吸水性に優れる繊維等の吸音層を配する構造で、楽器を筐体内部空間の略中央に固定可能な機構を持ち、筐体の外側から演奏者が右手と左手を入れて直接楽器のキイを操作できる伸縮自在で密閉可能な入手口を備えることを手段とする。
【発明の効果】
【０００８】
本発明の木管楽器用消音器は、普段使用している楽器およびマウスピース等がそのまま使用でき、自然な吹奏感覚で演奏が楽しめ、十分な消音性能を持ち、呼気による水分対策も万全で運搬自在であるため、いつでもどこでも木管楽器演奏が楽しめる画期的木管楽器用消音器の提供が可能となる。特にサクソフォンは金管楽器同等の大音量を発生させるため、近所迷惑になりやすいが、本発明の消音器を使用すれば、気兼ね無く楽器演奏を楽しめるのである。
【発明を実施するための最良の形態】
【０００９】
普段使っている楽器やマウスピース等をそのまま使用して、自然な吹奏感覚のままで、従来品に比べて格段に高い消音効果を得るために、楽器の全ての音孔を内包する開閉自在でプラスチック等で作られた硬い筐体を有し、その筐体内面に吸湿および吸水性に優れる繊維等の吸音層を配する構造で、楽器を筐体内部空間の略中央に固定可能な機構を持ち、筐体の外側から演奏者が右手と左手を入れて直接楽器のキイを操作できる伸縮自在で密閉可能な入手口を備える形態で実現した。
【実施例１】
【００１０】
図１は、本発明である木管楽器用消音器の実施例１を右側面から見た横面図である。１は右シェル、２は右入手口、３はストラップリング、４は蝶板、５はパッチン錠、６はアルトサクソフォン、７はマウスピース、８はリード、９はリガチャー、１０は最初の音孔、１１はネックパッキンである。右入手口２は、独立発泡ＥＰＤＭ等でできているため伸縮自在である。従って密閉可能な状態で、演奏者が右手と左手を入れて直接楽器のキイを操作できる。図２、図３、図４、図５および図６においても、同番号は同様な部品を示すものである。
【００１１】
図１は本発明をアルトサクソフォン用消音器として実施した場合を示している。この場合、消音器の高さＨは、７２０ｍｍ、幅Ｗは３２０ｍｍであるが、単純に楽器の外側を当該部材で覆ったのでは、良好な音程と発音は得られない。特に、低音域の音程および発音に関しては、楽器内部の定在波に悪影響を及ぼさないように消音器の内径形状を設定する必要がる。
【００１２】
図２は、本発明の実施例１を、図１で示すＡ視断面図である。図１と同じ番号は同じ部品を示している。１２は左シェル、１３は左入手口、１４は右吸音層、１５は左吸音層、１６はネック支持台、１７は凸パッキン、１８は凹パッキン、１９はマジックテープ、２０はネック、２１は通気口である。また、図３、図４、図５および図６においても、同番号は同様な部品を示すものである。
【００１３】
深さＤは２４０ｍｍである。楽器内部の定在波の終端は、略音孔位置と言えるが、低音域の音ほど波長が長く、開口端である音孔の周囲に十分な空間が必要となる。その空間が不十分な場合は、音程および発音に悪影響を及ぼす結果となる。また、消音器の密閉度が高い場合、演奏者が吹き込んだ息が逃げ道を失い、息苦しさを覚えることがあるが、このような場合は、通気口２１を備えれば良い。通気口２１の大きさ、位置および個数は、消音効率と息苦しさを考慮し、適宜設定すれば良い。
【００１４】
また、閉ざされた空間である消音器内部では、音孔から放射された音波がすぐ近くの消音器内壁にぶつかり、音波の反射を起こし、その反射波が楽器内部の定在波に悪影響を及ぼす場合がある。従って、楽器の位置が消音器内部空間で動いてしまう構造では、音が安定しない。そこで、ネック支持台１６と同様な方法で、楽器を筐体内部空間の略中央に固定可能な機構を数箇所設け、楽器の位置を一定に保つ必要がある。また、音波は硬い壁ほど反射波が強くなるし、吸音層に使用する部材の物性に依っても、音波の反射量や方向までも強く影響されるため、消音器内部空間形状を設定する場合は、楽器の構造や音域と共にシェルと吸音層の物性をも考慮しなくてはならない。つまり、楽器内部の定在波に悪影響を及ぼさない消音器の内部音響空間形状は、諸条件を設定した上でのみ求められるのである。
【００１５】
本発明の吸音層は、前述の反射波を抑える役目の他に、重要な役目を持っている。一つ目は、吸音およびシェルの振動を抑えることにより消音効果を高める役目である。二つ目は、吸湿および吸水性能が非常に高い特性であるから、演奏者の吹奏による呼気に含まれる水分を強力に吸収する役目である。長時間の練習などで吸い取られた水分は吸音層の中に一旦保持されるが、乾燥した状態に放置すれば、吸い取った水分を空気中に放出し、何度でも繰り返して使用できる。吸湿には、ポリアクリレート系、吸水には、アクリル系繊維等が有効であるが、それらの混合品が最も有効である。また、マジックテープ１９等で、右吸音層１４および左吸音層１５を着脱自在な構造にすれば、洗濯も可能となり、衛生的である。
【００１６】
図３は本発明の実施例２を右側面から見た横面図である。実施例２は実施例１に筐体内部の音をマイクでピックアップし、演奏者に返還出力する電子モジュールを付加した場合を示す。２２は電子モジュール、２３はイヤホンである。また、図４においても、同番号は同様な部品を示すものである。
【００１７】
図４は、本発明の実施例２を、図３で示すＢ視断面図である。２４はマイク、２５はマイクパッキン、２６はマイク穴、２７は固定ネジである。右シェル１にマイク２４に対応するマイク穴２６を設け、マイクパッキン２５で筐体内部空気が外に漏れ出すのを防ぎ、固定ネジ２７で電子モジュール２２を固定する。また、電子モジュール２２に、残響回路や外部入出力機構を付加すれば、カラオケ演奏やモニタリングなども可能となり、演奏する楽しさが増加する。
【産業上の利用可能性】
【００１８】
本発明を利用してソプラノ、テナー、バリトン等のサクソフォン用消音器を提供可能であることはもちろんだが、クラリネット、オーボエ、ファゴットなどその他の木管楽器に応用可能であるため、楽器産業上の利用可能性が大である。
【図面の簡単な説明】
【００１９】
【図１】本発明の木管楽器用消音器の横面図である。（実施例１）
【図２】図１の木管楽器用消音器の断面図である。（実施例１）
【図３】本発明の木管楽器用消音器の横面図である。（実施例２）
【図４】図３の木管楽器用消音器の断面図である。（実施例２）
【図５】サクソフォン用消音バッグの従来例の斜視図である。（従来例１）
【図６】木管楽器用円筒状消音装置の従来例の斜視図である。（従来例２）
【符号の説明】
【００２０】
１    右シェル
２    右入手口
３    ストラップリング
４    蝶板
５    パッチン錠
６    アルトサクソフォン
７    マウスピース
８    リード
９    リガチャー
１０    最初の音孔
１１    ネックパッキン
１２    左シェル
１３    左入手口
１４    右吸音層
１５    左吸音層
１６    ネック支持台
１７    凸パッキン
１８    凹パッキン
１９    マジックテープ
２０    ネック
２１    通気口
２２    電子モジュール
２３    イヤホン
２４    マイク
２５    マイクパッキン
２６    マイク穴
２７    固定ネジ
【図１】
2006162715.tif 000003
【図２】
2006162715.tif 000004
【図３】
2006162715.tif 000005
【図４】
2006162715.tif 000006
【図５】
2006162715.tif 000007
【図６】
2006162715.tif 000008